(57)【要約】【課題】  使用している電池で駆動が可能である駆動可能時間を定量的に把握することができる電子天秤を提供する。【解決手段】  被計量物の重量を次々と検出することにより、検出した重量ｗを重量記憶部４１に順次記憶させる重量記憶制御部５１を備え、電源として電池が使用される電子天秤１であって、電池の放電電圧Ｖと持続時間Ｔとの関係を示す放電関数と、電池から供給される電圧では駆動が不可能となる電圧閾値Ｖｔｈとを予め記憶する放電関数記憶部４２と、使用している電池の電圧ｖを取得する電圧取得制御部５３と、電圧取得制御部５３で取得された電池の電圧ｖと、放電関数記憶部４２に記憶された放電関数と電圧閾値Ｖｔｈとに基づいて、電池で駆動が可能である駆動可能時間ｔを算出して、表示部６０に駆動可能時間ｔを表示する時間表示制御部５５とを備える。【選択図】図１
2009250776.tif 000002
【特許請求の範囲】
【請求項１】
被計量物の重量を次々と検出することにより、検出した重量ｗを重量記憶部に順次記憶させる重量記憶制御部を備え、
電源として使用される電池で駆動される電子天秤であって、
電池の放電電圧Ｖと持続時間Ｔとの関係を示す放電関数（Ｖ―Ｔ関数）と、前記電池から供給される電圧では駆動が不可能となる電圧閾値Ｖｔｈとを予め記憶する放電関数記憶部と、
使用している電池の電圧ｖを取得する電圧取得制御部と、
前記電圧取得制御部で取得された電池の電圧ｖと、前記放電関数記憶部に記憶された放電関数（Ｖ―Ｔ関数）と電圧閾値Ｖｔｈとに基づいて、前記電池で駆動が可能である駆動可能時間ｔを算出して、表示部に駆動可能時間ｔを表示する時間表示制御部とを備えることを特徴とする電子天秤。
【請求項２】
前記放電関数（Ｖ―Ｔ関数）は、取得された電池の電圧ｖに応じて場合分けされている１次式及び／又は２次式からなることを特徴とする請求項１に記載の電子天秤。
【請求項３】
温度ｓを取得する温度取得制御部を備え、
前記放電関数（Ｖ―Ｔ関数）は、式（１）と式（２）と式（３）とからなることを特徴とする請求項２に記載の電子天秤。
Ｘ＜ｖのとき、        Ｖ＝ａＴ２＋ｂＴ＋ｃ・・・（１）
Ｙ≦ｖ≦Ｘのとき、  Ｖ＝ｄＴ＋ｅ・・・・・・・（２）
ｖ＜Ｙのとき、        Ｖ＝ｆＴ２＋ｇＴ＋ｈ・・・（３）
ただし、Ｘ、Ｙは定数であり、ａ、ｂ、ｃ、ｄ、ｅ、ｆ、ｇ、ｈは定数若しくは温度による関数である。
【請求項４】
前記放電関数記憶部は、電池の種類に応じて異なる複数の放電関数を記憶し、
電池の種類が入力される入力部と、
入力部に入力された電池の種類に基づいて、複数の放電関数のうちから一つの放電関数を選択する選択制御部とを備え、
前記時間表示制御部は、前記選択制御部で選択された放電関数に基づいて、駆動可能時間ｔを算出することを特徴とする請求項１〜請求項３のいずれかに記載の電子天秤。
【発明の詳細な説明】
【技術分野】
【０００１】
本発明は、電子天秤に関し、さらに詳細には乾電池や充電池や蓄電池等で駆動される電子天秤に関する。
【背景技術】
【０００２】
外部から電源がとれない環境で用いられる電子天秤には、その電力供給手段として乾電池が使用されている。そして、このような電子天秤では、乾電池が消耗することによって、現在使用している乾電池では駆動が不可能となる駆動不可能時間（以下、「ＯＦＦ時間」という）までどの程度であるかを示すための警告表示が、液晶表示画面中に行われている（例えば、特許文献１参照）。図６は、従来の電子天秤における液晶表示画面の一例を示す図である。
例えば、従来の電子天秤では、乾電池の電圧ｖを検出することにより、検出された乾電池の電圧ｖが所定の電圧閾値Ｙ’を下回ると、液晶表示画面８０中の左上の部分にバッテリマーク「ＢＡＴＴ」等の警告表示８０ａを点灯させたり点滅させたりしている。これにより、使用者は、警告表示８０ａの点灯や点滅を確認すると、現在使用している乾電池では電子天秤の駆動がもうすぐ不可能となると判断している。
【０００３】
しかし、このような警告表示８０ａが行われる電子天秤では、使用者は、現在使用している乾電池で電子天秤の駆動がもうすぐ不可能となることを直前（例えば、１〜２時間前）に把握することができるだけである。よって、時々刻々と（例えば、数ミリ秒間隔で）被計量物の重量の変化を測定する長時間（例えば、１０時間）の自動データ測定を電子天秤で実行する場合には、警告表示８０ａが行われていないため、新たな乾電池に交換することなく古い乾電池をそのまま使用していると、自動データ測定の途中で電子天秤の電源が切れてしまうことがあった。
【０００４】
そこで、乾電池のイラストを用いた段階的な表示（以下、「電池残量表示」という）が液晶表示画面中に行われている電子天秤もある。図７は、従来の電子天秤における液晶表示画面の他の一例を示す図である。
例えば、このような従来の電子天秤では、乾電池の電圧ｖを検出することにより、液晶表示画面８１中の左上の部分に、検出された乾電池の電圧ｖに応じて、乾電池の電圧ｖが所定の電圧閾値Ｘ’以上であることを示す乾電池のイラストの全体を黒く塗りつぶした表示（以下、「残量多表示」という）と、乾電池の電圧ｖが電圧閾値Ｘ’〜電圧閾値Ｙ’（＜Ｘ’）の範囲にあることを示す乾電池のイラストの右から３分の２程度を黒く塗りつぶした表示（以下、「残量中表示」という）と、乾電池の電圧ｖが電圧閾値Ｙ’以下であることを示す乾電池のイラストの右から３分の１程度を黒く塗りつぶした表示（以下、「残量少表示」という）８１ａとからなる３段階の表示が行われる。これにより、使用者は、表示されている電池残量表示を確認することで、使用している乾電池で電子天秤の駆動が可能である駆動可能時間ｔを推測している。
【特許文献１】特開２００１−７４５４５号公報
【発明の開示】
【発明が解決しようとする課題】
【０００５】
しかしながら、電池残量表示が行われる電子天秤では、乾電池の電圧ｖに応じて３段階の表示が行われているだけであるため、使用者は３段階の表示から駆動可能時間ｔを把握しなければならず、例えば、長時間の自動データ測定を行う場合には、「残量中表示」が行われているため、新しい乾電池に交換することなく古い乾電池をそのまま使用していると、自動データ測定の途中で電子天秤の電源が切れてしまうことがあった。つまり、使用者は３段階の表示でも、自動データ測定が行えるか否かを把握し難い問題があった。
また、使用者が、自動データ測定中に電子天秤の電源が切れかかっているか否かを何度か確認することも考えられるが、その場合には確認作業が煩わしかった。
そこで、本発明は、使用している電池で駆動が可能である駆動可能時間を定量的に把握することができる電子天秤を提供することを目的とする。
【課題を解決するための手段】
【０００６】
上記課題を解決するためになされた本発明の電子天秤は、被計量物の重量を次々と検出することにより、検出した重量ｗを重量記憶部に順次記憶させる重量記憶制御部を備え、電源として使用される電池で駆動される電子天秤であって、電池の放電電圧Ｖと持続時間Ｔとの関係を示す放電関数（Ｖ―Ｔ関数）と、前記電池から供給される電圧では駆動が不可能となる電圧閾値Ｖｔｈとを予め記憶する放電関数記憶部と、使用している電池の電圧ｖを取得する電圧取得制御部と、前記電圧取得制御部で取得された電池の電圧ｖと、前記放電関数記憶部に記憶された放電関数（Ｖ―Ｔ関数）と電圧閾値Ｖｔｈとに基づいて、前記電池で駆動が可能である駆動可能時間ｔを算出して、表示部に駆動可能時間ｔを表示する時間表示制御部とを備えるようにしている。
【０００７】
ここで、「放電関数（Ｖ―Ｔ関数）」とは、或る一定の負荷（例えば、自動データ測定等による負荷）が電池にかけられたときに、電池が放電する電圧Ｖと時間Ｔとの関係を示す関数のことをいう（図３参照）。このような放電関数を用いると、電池が現在放電する電圧ｖがわかれば、或る一定の負荷が新品の電池にかけられたと仮定したときに、新品の電池がその電圧ｖになるまでの時間Ｔｇを算出することができる。さらに、電子天秤の駆動が不可能となる電圧閾値Ｖｔｈがわかれば、或る一定の負荷が新品の電池にかけられたと仮定したときに、新品の電池がその電圧閾値Ｖｔｈになるまでの時間Ｔｔｈ、すなわち電子天秤の駆動が不可能となるＯＦＦ時間Ｔｔｈを算出することができる。これにより、下記式（４）を用いて駆動可能時間ｔを算出することができることになる。
ｔ＝Ｔｔｈ−Ｔｇ・・・（４）
また、「駆動可能時間ｔ」とは、現在使用している電池で電子天秤の駆動が可能となる残りの時間を示す数値のことをいう（図２参照）。つまり、本発明の電子天秤では、駆動可能時間ｔとして、例えば６時間３０分や２時間１０分等のような数値が表示部に表示される。
【０００８】
本発明の電子天秤によれば、放電関数記憶部は、電池の放電電圧Ｖと持続時間Ｔとの関係を示す放電関数（Ｖ―Ｔ関数）と、電子天秤の駆動が不可能となる電圧閾値Ｖｔｈとを予め記憶する。これにより、上述したように、現在使用している電池の電圧ｖが得られれば、駆動可能時間ｔを算出することができるようになっている。
そこで、電圧取得制御部は、現在使用している電池の電圧ｖを取得する。
そして、時間表示制御部は、電圧取得制御部で取得された電池の電圧ｖと、放電関数（Ｖ―Ｔ関数）とに基づいて、或る一定の負荷が新品の電池にかけられたと仮定したときに、新品の電池がその電圧ｖになるまでの時間Ｔｇを算出するとともに、放電関数（Ｖ―Ｔ関数）と電圧閾値Ｖｔｈとに基づいて、或る一定の負荷が新品の電池にかけられたと仮定したときに、電子天秤の駆動が不可能となるＯＦＦ時間Ｔｔｈを算出する。
さらに、時間表示制御部は、式（４）を用いて駆動可能時間ｔを算出して、表示部に駆動可能時間ｔを表示する。このとき、駆動可能時間ｔは、例えば、６時間３０分や２時間１０分等のような数値で表示される。
【発明の効果】
【０００９】
以上のように、本発明の電子天秤によれば、表示部に駆動可能時間ｔが表示されるので、駆動可能時間ｔを定量的に把握することができる。よって、長時間の自動データ測定を行う場合にも、自動データ測定の途中で電子天秤の電源が切れることをなくすことができる。
【００１０】
（その他の課題を解決するための手段及び効果）
また、上記発明において、前記放電関数（Ｖ―Ｔ関数）は、取得された電池の電圧ｖに応じて場合分けされている１次式及び／又は２次式からなるようにしてもよい。
本発明によれば、放電関数が１次式や２次式で表現されているので、コンピュータ等によって実行される計算を簡略化することができる。
【００１１】
また、上記発明において、温度ｓを取得する温度取得制御部を備え、前記放電関数（Ｖ―Ｔ関数）は、式（１）と式（２）と式（３）とからなるようにしてもよい。
Ｘ＜ｖのとき、        Ｖ＝ａＴ２＋ｂＴ＋ｃ・・・（１）
Ｙ≦ｖ≦Ｘのとき、  Ｖ＝ｄＴ＋ｅ・・・・・・・（２）
ｖ＜Ｙのとき、        Ｖ＝ｆＴ２＋ｇＴ＋ｈ・・・（３）
ただし、Ｘ、Ｙは定数であり、ａ、ｂ、ｃ、ｄ、ｅ、ｆ、ｇ、ｈは定数若しくは温度による関数である。
本発明によれば、温度取得制御部は、温度ｓを取得するので、駆動可能時間ｔを正確に算出して表示することもできる。
【００１２】
また、上記発明において、前記放電関数記憶部は、電池の種類に応じて異なる複数の放電関数を記憶し、電池の種類が入力される入力部と、入力部に入力された電池の種類に基づいて、複数の放電関数のうちから一つの放電関数を選択する選択制御部とを備え、前記時間表示制御部は、前記選択制御部で選択された放電関数に基づいて、駆動可能時間ｔを算出するようにしてもよい。
本発明によれば、電池の種類に応じて異なる複数の放電関数を記憶しているので、駆動可能時間ｔを正確に算出して表示することができる。
【発明を実施するための最良の形態】
【００１３】
以下、本発明の実施形態について図面を用いて説明する。なお、本発明は、以下に説明するような実施形態に限定されるものではなく、本発明の趣旨を逸脱しない範囲で種々の態様が含まれる。
【００１４】
図１は、本発明に係る電子天秤の構成を示すブロック図である。また、図２は、電子天秤における液晶表示画面の一例を示す図である。
電子天秤１は、重量検出部１０と、温度検出部１５と、電圧検出部２０と、信号処理器３０と、不揮発性メモリ４０と、マイクロコンピュータ５０と、液晶表示画面（表示部）６０と、操作キー（入力部）７０とを備える。
なお、電子天秤１は、公称電圧が１．５Ｖの４個の乾電池Ｂで駆動され、４個の乾電池Ｂの電圧ｖがＯＦＦ電圧（電圧閾値）Ｖｔｈ（３．２０Ｖ）を下回ると、電子天秤１の駆動が不可能となるものとする。また、電子天秤１では、乾電池として、アルカリ乾電池、マンガン乾電池、ニッケル乾電池が使用可能となっている。
【００１５】
重量検出部１０は、その計量皿の上面に載置された被計量物の重量ｗをロードセル（図示せず）によって検出し、Ａ／Ｄ変換器３０ａにアナログ信号を所定の時間間隔Δｔａ（例えば、数ミリ秒間隔）で順次出力する。
温度検出部１５は、温度ｓを温度センサ（図示せず）によって検出し、Ａ／Ｄ変換器３０ｂにアナログ信号を所定の時間間隔Δｔｂ（例えば、数ミリ秒間隔）で順次出力する。
【００１６】
電圧検出部２０は、現在使用している４個の乾電池Ｂの電圧ｖを検出し、Ａ／Ｄ変換器３０ｃにアナログ信号を所定の時間間隔Δｔｂで順次出力する。
信号処理器３０は、重量検出部１０から検出されたアナログ信号をデジタル信号（荷重データ）に変換するＡ／Ｄ変換器３０ａと、温度検出部１５から検出されたアナログ信号をデジタル信号（温度データ）に変換するＡ／Ｄ変換器３０ｂと、電圧検出部２０から検出されたアナログ信号をデジタル信号（電圧データ）に変換するＡ／Ｄ変換器３０ｃとを備える。
【００１７】
マイクロコンピュータ５０が処理する機能をブロック化して説明すると、重量（荷重データ）ｗが入力される重量記憶制御部５１と、温度（温度データ）ｓが入力される温度取得制御部５２と、電圧（電圧データ）ｖが入力される電圧取得制御部５３と、３種類の放電関数（Ｖ―Ｔ関数、Ｖ’―Ｔ’関数、Ｖ’’―Ｔ’’関数）のうちから一つの放電関数を選択する選択制御部５４と、駆動可能時間ｔを表示する時間表示制御部５５とを有する。
不揮発性メモリ４０は、重量ｗを順次記憶する重量記憶領域４１と、３種類の放電関数（Ｖ―Ｔ関数、Ｖ’―Ｔ’関数、Ｖ’’―Ｔ’’関数）とＯＦＦ電圧Ｖｔｈ（３．２０Ｖ）とを予め記憶する放電関数記憶領域４２とを有する。
【００１８】
ここで、放電関数記憶領域４２に記憶される放電関数について説明する。
図３は、４個のアルカリ乾電池から供給される電圧で電子天秤が駆動されたときにおける４個のアルカリ乾電池の電圧（放電電圧）Ｖと持続時間Ｔとの関係を示す放電カーブであり、図４は、或る一定の負荷（例えば、電子天秤の駆動の１／４に相当）が１個のアルカリ乾電池にかけられたときにおける１個のアルカリ乾電池の電圧Ｖと持続時間Ｔとの関係を示す標準放電カーブである。つまり、図３に示す放電カーブは、図４に示す標準放電カーブにおける電圧ｖを４倍することで得られる。
ところで、図３に示すような放電カーブは、３次式や４次式の関数で一般的に表現されるが、３次式や４次式の関数で表現すると、マイクロコンピュータ５０の時間表示制御部５５によって実行される計算が複雑になるので、本発明の電子天秤１では、マイクロコンピュータ５０の時間表示制御部５５によって実行される計算を簡略化するために、アルカリ乾電池についての放電関数（Ｖ―Ｔ関数）は、式（１）と式（２）と式（３）とからなる。
Ｘ（＝４．７２Ｖ）＜ｖのとき、        Ｖ＝ａＴ２＋ｂＴ＋ｃ・・・（１）
Ｙ（＝４．３２Ｖ）≦ｖ≦Ｘのとき、    Ｖ＝ｄＴ＋ｅ・・・・・・・（２）
ｖ＜Ｙのとき、                        Ｖ＝ｆＴ２＋ｇＴ＋ｈ・・・（３）
ただし、ａ、ｂ、ｃ、ｄ、ｅ、ｆ、ｇ、ｈは、温度ｓによる関数である。
このようなアルカリ乾電池についての放電関数（Ｖ―Ｔ関数）は、例えば、使用者が、操作キー７０等を用いて、放電関数記憶領域４２に予め記憶させることになる。  なお、本発明の電子天秤１では、放電関数記憶領域４２には、アルカリ乾電池についての放電関数（Ｖ―Ｔ関数）だけでなく、マンガン乾電池についての放電関数（Ｖ’―Ｔ’関数）と、ニッケル乾電池についての放電関数（Ｖ’’―Ｔ’’関数）とも記憶されている。
【００１９】
重量記憶制御部５１は、重量検出部１０により被計量物の重量が検出され、Ａ／Ｄ変換器３０ａによりデジタル信号に変換された重量ｗを重量記憶領域４１に所定の時間間隔Δｔａで順次記憶させていく制御を行う。つまり、時々刻々と被計量物の重量ｗの変化を測定する長時間の自動データ測定を実行する。このとき、重量記憶制御部５１は、液晶表示画面６０の中央の部分に重量ｗを時間間隔Δｔａで順次表示する制御を行ってもよい。
温度取得制御部５２は、温度検出部１５により温度ｓが検出され、Ａ／Ｄ変換器３０ｂによりデジタル信号に変換された温度ｓを所定の時間間隔Δｔｂで順次得ていく制御を行う。
【００２０】
電圧取得制御部５３は、電圧検出部２０により電圧ｖが検出され、Ａ／Ｄ変換器３０ｃによりデジタル信号に変換された電圧ｖを所定の時間間隔Δｔｂで順次得ていく制御を行う。
選択制御部３６は、操作キー７０からの入力信号に基づいて、複数の放電関数（Ｖ―Ｔ関数、Ｖ’―Ｔ’関数、Ｖ’’―Ｔ’’関数）のうちから一つの放電関数を選択する制御を行う。
例えば、使用者は、電子天秤１に４個のアルカリ乾電池Ｂを使用している場合には、操作キー７０を用いて、乾電池の種類として「アルカリ乾電池」と入力すると、選択制御部３６は、３種類の放電関数（Ｖ―Ｔ関数、Ｖ’―Ｔ’関数、Ｖ’’―Ｔ’’関数）のうちからアルカリ乾電池についての放電関数（Ｖ―Ｔ関数）を選択する。一方、使用者は、電子天秤１に４個のマンガン乾電池を使用している場合には、操作キー７０を用いて、乾電池の種類として「マンガン乾電池」と入力すると、選択制御部３６は、３種類の放電関数のうちからマンガン乾電池についての放電関数（Ｖ’―Ｔ’関数）を選択する。
【００２１】
時間表示制御部５５は、電圧取得制御部５３で取得された電圧ｖと、選択制御部５４で選択された放電関数と、電圧閾値Ｖｔｈと、温度取得制御部５２で取得された温度ｓとに基づいて、乾電池で電子天秤１の駆動が可能である駆動可能時間ｔを算出して、液晶表示画面６０の左上の部分６０ａに駆動可能時間ｔを表示する制御を行う（図２参照）。
例えば、選択制御部５４で選択された放電関数が、アルカリ乾電池についての放電関数（Ｖ―Ｔ関数）であり、電圧ｖが、Ｘ＜ｖを満たしているときには、ｖを式（１）に代入するとともに、温度ｓを用いることによりＴを算出する。このとき、Ｔとして２つの解が得られるが、２つの解のうち小さい方をＴｇとする。また、電圧閾値Ｖｔｈを式（３）に代入するとともに、温度ｓを用いることによりＴを算出する。このとき、Ｔとして２つの解が得られるが、２つの解のうち大きい方をＯＦＦ時間Ｔｔｈとする。そして、式（４）を用いて駆動可能時間ｔを算出する。このように算出された駆動可能時間ｔを液晶表示画面６０の左上の部分６０ａに表示する。図２では、駆動可能時間ｔは、「６：３０」と表示されている。これにより、使用者は、使用している４個のアルカリ乾電池Ｂで電子天秤１の駆動が可能である駆動可能時間ｔを定量的に把握することができる。
ｔ＝Ｔｔｈ−Ｔｇ・・・（４）
【００２２】
一方、電圧ｖが、Ｙ≦ｖ≦Ｘを満たしているときには、ｖを式（２）に代入するとともに、温度ｓを用いることにより、Ｔｇを算出する。また、同様にして電圧閾値Ｖｔｈを式（３）に代入することにより、ＯＦＦ時間Ｔｔｈを算出する。そして、式（４）を用いて駆動可能時間ｔを算出する。その結果、同様にして液晶表示画面６０の左上の部分に駆動可能時間ｔを表示する。
さらに、電圧ｖが、ｖ＜Ｙを満たしているときには、ｖを式（３）に代入するとともに、温度ｓを用いることにより、Ｔを算出する。このとき、Ｔとして２つの解が得られるが、２つの解のうち大きい方をＴｇとする。また、同様にして電圧閾値Ｖｔｈを式（３）に代入することにより、ＯＦＦ時間Ｔｔｈを算出する。そして、式（４）を用いて駆動可能時間ｔを算出する。その結果、同様にして液晶表示画面６０の左上の部分に駆動可能時間ｔを表示する。
【００２３】
次に、電子天秤１による駆動可能時間ｔを表示する表示方法について説明する。図５は、電子天秤１による表示方法を示すフローチャートである。なお、電子天秤１の電源として、４個のアルカリ乾電池Ｂを使用した場合について説明することとする。
まず、ステップＳ１０１の処理において、電子天秤１の電源として４個のアルカリ乾電池Ｂを使用する。
次に、ステップＳ１０２の処理において、電子天秤１の電源（例えば、操作キー７０の一部）が入れられたか否かを判定する。電子天秤１の電源が入れていないと判定したときには、ステップＳ１０２の処理を繰り返す。
一方、電子天秤１の電源が入れたと判定したときには、ステップＳ１０３の処理において、使用者は、操作キー７０を用いて、使用している電池の種類として「アルカリ乾電池」と入力する。
【００２４】
次に、ステップＳ１０４の処理において、選択制御部５４は、操作キー７０からの入力信号に基づいて、３種類の放電関数のうちからアルカリ乾電池についての放電関数（Ｖ―Ｔ関数）を選択する。
次に、ステップＳ１０５の処理において、電圧取得制御部５３は、電圧検出部２０により電圧ｖが検出され、Ａ／Ｄ変換器３０ｃによりデジタル信号に変換された電圧ｖを取得する。
次に、ステップＳ１０６の処理において、温度取得制御部５２は、温度検出部１５により温度ｓが検出され、Ａ／Ｄ変換器３０ｂによりデジタル信号に変換された温度ｓを取得する。
【００２５】
次に、ステップＳ１０７の処理において、時間表示制御部５５は、選択制御部３６で選択された放電関数に基づいて、電圧取得制御部５３で取得された電圧ｖがどの範囲に存在するかを判定する。
電圧ｖがＸ＜ｖを満たしていると判定したときには、ステップＳ１０８の処理において、ｖを式（１）に代入するとともに、温度取得制御部５２で取得された温度ｓを用いることにより、Ｔｇを算出する。
電圧ｖがＹ≦ｖ≦Ｘを満たしていると判定したときには、ステップＳ１０９の処理において、ｖを式（２）に代入するとともに、温度取得制御部５２で取得された温度ｓを用いることにより、Ｔｇを算出する。
電圧ｖがｖ＜Ｙを満たしていると判定したときには、ステップＳ１１０の処理において、ｖを式（３）に代入するとともに、温度取得制御部５２で取得された温度ｓを用いることにより、Ｔｇを算出する。
【００２６】
ステップＳ１０８〜Ｓ１１０の処理のいずれかが終了したときには、ステップＳ１１１の処理において、時間表示制御部５５は、ＯＦＦ電圧Ｖｔｈを式（３）に代入するとともに、温度取得制御部５２で取得された温度ｓを用いることにより、ＯＦＦ時間Ｔｔｈを算出する。
次に、ステップＳ１１２の処理において、時間表示制御部５５は、式（４）を用いて駆動可能時間ｔを算出して、液晶表示画面６０の左上の部分６０ａに駆動可能時間ｔを表示する（図２参照）。
次に、ステップＳ１１３の処理において、電子天秤１の電源が切られたか否かを判定する。電子天秤１の電源が切られていないと判定したときには、ステップＳ１０５の処理に戻る。
一方、電子天秤１の電源が切られたと判定したときには、本フローチャートを終了させることになる。
【００２７】
以上のように、本発明の電子天秤１によれば、液晶表示画面６０の左上の部分６０ａに駆動可能時間ｔが表示されるので、駆動可能時間ｔを定量的に把握することができる。よって、長時間の自動データ測定を行う場合には、駆動可能時間ｔが自動データ測定を実行する時間より長いときには、新たな乾電池に交換することなく古い乾電池Ｂをそのまま使用し、一方、駆動可能時間ｔが自動データ測定を実行する時間より短いときには、新たな乾電池に交換することにより、自動データ測定の途中で電子天秤１の電源が切れることをなくすことができる。
【００２８】
（他の実施形態）
（１）上述した電子天秤１において、電圧検出部２０は、現在使用している４個の乾電池の電圧ｖを検出する構成としたが、現在使用している各乾電池の電圧をそれぞれ個別に検出する構成としてもよい。
（２）上述した電子天秤１において、電圧検出部２０は、現在使用している４個の乾電池の電圧ｖを検出する構成としたが、現在使用している１個の乾電池のみの電圧を検出する構成としてもよい。
【００２９】
（３）上述した電子天秤１において、時間表示制御部５５は、温度ｓに基づいて、駆動可能時間ｔを算出する構成としたが、ａ、ｂ、ｃ、ｄ、ｅ、ｆ、ｇ、ｈを定数として、温度ｓを用いない構成としてもよい。
（４）上述した電子天秤１において、時間表示制御部５５は、液晶表示画面６０の左上の部分６０ａに駆動可能時間ｔを常に表示する構成としたが、使用者が、自動データ測定を行う前に操作キー７０等を操作したときのみに、液晶表示画面６０の中央に駆動可能時間ｔを表示する構成としてもよい。
【産業上の利用可能性】
【００３０】
本発明は、乾電池や充電池や蓄電池等で駆動される電子天秤に好適に利用できる。
【図面の簡単な説明】
【００３１】
【図１】本発明に係る電子天秤の構成を示すブロック図である。
【図２】電子天秤における液晶表示画面の一例を示す図である。
【図３】４個のアルカリ乾電池から供給される電圧で電子天秤が駆動されたときにおける４個のアルカリ乾電池の電圧Ｖと持続時間Ｔとの関係を示す放電カーブである。
【図４】或る一定の負荷が１個のアルカリ乾電池にかけられたときにおける１個のアルカリ乾電池の電圧Ｖと持続時間Ｔとの関係を示す標準放電カーブである。
【図５】電子天秤による表示方法を示すフローチャートである。
【図６】従来の電子天秤における液晶表示画面の一例を示す図である。
【図７】従来の電子天秤における液晶表示画面の他の一例を示す図である。
【符号の説明】
【００３２】
１    電子天秤
４０  不揮発性メモリ
４１  重量記憶部
４２  放電関数記憶部
５１  重量記憶制御部
５３  電圧取得制御部
５５  時間表示制御部
６０  液晶表示画面（表示部）
【図１】
2009250776.tif 000003
【図３】
2009250776.tif 000004
【図４】
2009250776.tif 000005
【図５】
2009250776.tif 000006
【図２】
2009250776.tif 000007
【図６】
2009250776.tif 000008
【図７】
2009250776.tif 000009